(57)【要約】【課題】録画・再生機能を備えたテレビジョン受像機において，放送コンテンツの出力中に映像表示や音声出力に関する部品の温度異常が検出された場合でも，熱による部品の故障と，放送コンテンツの視聴機会の損失とを回避できること。【解決手段】制御回路４により，映像表示部におけるバックライト１７の温度異常を検出し，放送コンテンツの出力中に温度異常が検出された場合に，録画・再生回路８によるその放送コンテンツの録画処理を開始させ，バックライト１７に対する通電を停止又は抑制し，温度異常が発生した旨の通知を行う。録画処理中に温度異常が解消した場合には，タイムシフト再生処理により放送コンテンツの再生を行う。【選択図】図１
2010088014.tif 000002
【特許請求の範囲】
【請求項１】
放送コンテンツの映像信号に基づいて前記放送コンテンツの映像を表示する映像表示手段と，前記放送コンテンツの映像信号に基づいて前記放送コンテンツの録画処理を行う録画手段と，該録画手段により記憶手段に記録された録画データに基づく映像を前記映像表示手段に表示させる再生処理を行う録画データ再生手段と，を備えたテレビジョン受像機であって，
前記映像表示手段の温度異常を検出する第１の温度異常検出手段と，
前記映像表示手段による前記放送コンテンツの映像を表示中に前記第１の温度異常検出手段により温度異常が検出された場合に，前記映像表示手段に対する通電を停止又は抑制するとともに，前記録画手段に対し映像を表示中の前記放送コンテンツの録画処理を開始させる第１の温度異常時制御手段と，
を具備してなることを特徴とするテレビジョン受像機。
【請求項２】
前記映像表示手段の温度異常が解消したことを検出する温度異常解消検出手段と，
前記第１の温度異常時制御手段により開始させた前記録画手段の録画処理中に前記温度異常解消検出手段により前記映像表示手段の温度異常の解消が検出された場合に，前記映像表示手段に対する通電を復帰させるとともに，前記録画データ再生手段に対して前記録画手段により前記記憶手段に記録中の前記放送コンテンツの録画データに基づく再生処理を開始させる第１の温度異常解消時制御手段と，
を具備してなる請求項１に記載のテレビジョン受像機。
【請求項３】
前記第１の温度異常時制御手段によって前記映像表示手段に対する通電の停止又は抑制と前記録画手段による録画処理の開始とが行われた場合にその旨を通知する異常通知手段を具備してなる請求項１又は２のいずれかに記載のテレビジョン受像機。
【請求項４】
前記第１の温度異常検出手段が，前記映像表示手段に含まれる液晶パネル及び該液晶パネルを照明する照明手段の一方又は両方の温度異常を検出し，
前記第１の温度異常時制御手段が，前記照明手段に対する通電を停止又は抑制してなる請求項３に記載のテレビジョン受像機。
【請求項５】
前記第１の温度異常時制御手段が，前記第１の温度異常検出手段により温度異常が検出された場合に，前記照明手段が備える複数の光源の中から一部の光源を順次選択して該一部の光源に対する通電を行うとともに残りの光源に対する通電を停止し，
前記異常通知手段が，前記照明手段における通電中の前記一部の光源により照明される前記液晶パネルの一部の領域に通知情報を表示させてなる請求項４に記載のテレビジョン受像機。
【請求項６】
前記放送コンテンツの音声信号を増幅してスピーカに供給する音量調節手段と，
前記音量調節手段の温度異常を検出する第２の温度異常検出手段と，
前記音量調節手段を通じた音声の出力中に前記第２の温度異常検出手段により温度異常が検出された場合に，前記音量調節手段に対する通電を停止するとともに，前記録画手段に対し映像を表示中の前記放送コンテンツの録画処理を開始させる第２の温度異常時制御手段と，
を具備してなる請求項１〜５のいずれかに記載のテレビジョン受像機。
【発明の詳細な説明】
【技術分野】
【０００１】
本発明は，録画・再生機能を備えたテレビジョン受像機に関するものである。
【背景技術】
【０００２】
昨今，液晶テレビジョン受像機に代表される薄型のテレビジョン受像機は，データ記録媒体に対するデータの記録や読み出しを行うデータ記録・読出装置が内蔵され，前記データ記録媒体に放送番組等のコンテンツ（放送コンテンツ）を録画する録画機能及び録画データに基づく再生機能を備えるものがある。これにより，録画・再生機能を有するＡＶシステム全体の省スペース化が実現される。なお，前記データ記録・読出装置は，例えば，ＤＶＤ（Digital Versatile Disc）やブルーレイディスク，ハードディスク等のメモリディスクのドライブ装置や，カード型メモリが着脱されるメモリスロット等である。
【０００３】
また，薄型のテレビジョン受像機は，バックライトや音量調節用のアンプ等の発熱体からの発熱量に対する装置の容積の比が小さく，単位容積当たりの熱負荷が高い。そのため，薄型のテレビジョン受像機は，長時間の連続稼働や高温環境下での使用等の使用状況により，一部の部品が過剰高温になる場合がある。例えば，液晶テレビジョン受像機においては，バックライトからの発生熱によりバックライト及び液晶パネルが過剰高温になる場合や，音量調節用のアンプからの発生熱によりそのアンプが過剰高温になる場合がある。
従来のテレビジョン受像機は，高温になりがちな部品の温度を監視し，その部品の異常温度（過剰高温）を検出すると，電源ＯＦＦの状態（電源ＯＮ操作を検知するための待機状態）へ自動的に移行していた。これにより，部品が熱により故障することを防止できる。
一方，特許文献１には，定着ヒータの異常温度が検出された場合に，定着異常情報をＥＥＰＲＯＭに格納した上で，電源ＯＦＦの状態へ移行する画像形成装置について示されている。
【特許文献１】特開平９−３２９９９８号公報
【発明の開示】
【発明が解決しようとする課題】
【０００４】
しかしながら，テレビジョン受像機が，放送コンテンツの出力中（即ち，ユーザによる視聴中）において映像表示や音声出力に関する部品の異常温度（過剰高温）が検出された場合に，単に電源ＯＦＦの状態へ移行すると，ユーザが，放送コンテンツの視聴の機会を損失するという問題点があった。一般に，放送コンテンツは，その放送中の時間帯を逃すと視聴も録画もできない。そのため，放送コンテンツの出力が予期せず中断されることは，利用者に大きな不満を感じさせる。
従って，本発明は上記事情に鑑みてなされたものであり，その目的とするところは，録画・再生機能を備えたテレビジョン受像機において，放送コンテンツの出力中に映像表示や音声出力に関する部品の温度異常が検出された場合でも，熱による部品の故障と，放送コンテンツの視聴機会の損失とを回避できるテレビジョン受像機を提供することにある。
【課題を解決するための手段】
【０００５】
上記目的を達成するために本発明に係るテレビジョン受像機は，次の（１）〜（５）に示される各構成要素を備えた装置である。
（１）放送コンテンツの映像信号に基づいて前記放送コンテンツの映像を表示する映像表示手段。
（２）前記放送コンテンツの映像信号に基づいて前記放送コンテンツの録画処理を行う録画手段。
（３）前記録画手段により記憶手段に記録された録画データに基づく映像を前記映像表示手段に表示させる再生処理を行う録画データ再生手段。
（４）前記映像表示手段の温度異常を検出する第１の温度異常検出手段。
（５）前記映像表示手段による前記放送コンテンツの映像を表示中に前記第１の温度異常検出手段により温度異常が検出された場合に，前記映像表示手段に対する通電を停止又は抑制するとともに，前記録画手段に対し映像を表示中の前記放送コンテンツの録画処理を開始させる第１の温度異常時制御手段。
録画・再生機能を備えたテレビジョン受像機において，前記映像表示手段に対する通電が停止又は抑制されても，録画処理の実行は可能である。そして，熱による部品の故障を回避するために前記映像表示手段に対する通電が停止又は抑制された場合に，その放送コンテンツを録画しておけば，前記映像表示手段の温度異常が解消した後に，録画された放送コンテンツを再生して視聴することが可能である。
従って，本発明によれば，録画・再生機能を備えたテレビジョン受像機において，放送コンテンツの出力中（映像表示中）に映像表示や音声出力に関する部品の温度異常が検出された場合でも，熱による前記映像表示手段の故障と，放送コンテンツの視聴機会の損失とを回避できる。
【０００６】
また，本発明に係るテレビジョン受像機が，さらに次の（６）及び（７）に示される構成要素を備えれば好適である。
（６）前記映像表示手段の温度異常が解消したことを検出する温度異常解消検出手段。
（７）前記第１の温度異常時制御手段により開始させた前記録画手段の録画処理中に前記温度異常解消検出手段により前記映像表示手段の温度異常の解消が検出された場合に，前記映像表示手段に対する通電を復帰させるとともに，前記録画データ再生手段に対して前記録画手段により前記記憶手段に記録中の前記放送コンテンツの録画データに基づく再生処理を開始させる第１の温度異常解消時制御手段。
これにより，前記映像表示手段の温度異常が比較的短時間のうちに解消した場合に，ユーザは，その時点からすぐに特別な手間を要することなく，映像表示の中断前（温度異常の発生前）に視聴していた放送コンテンツをその中断部分から最後の部分まで引き続き視聴することができる。
例えば，前記映像表示手段の温度異常の原因が，当該テレビジョン受像機に対する直射日光の照射や異物による換気口の閉塞等である場合，ユーザがその原因を排除すれば比較的短時間のうちに前記映像表示手段の温度異常が解消するため，上記構成はそのような場合に特に好適である。
また，本発明に係るテレビジョン受像機が，さらに次の（８）に示される構成要素を備えれば好適である。
（８）前記第１の温度異常時制御手段によって前記録画手段による録画処理の継続と前記映像表示手段に対する通電の停止又は抑制とが行われた場合にその旨を通知する異常通知手段。
これにより，利用者（映像の鑑賞者）が異常の状況を把握できるので，利用者を必要以上に慌てさせることを防止できる。
【０００７】
また，本発明に係るテレビジョン受像機が液晶テレビジョン受像機である場合，前記第１の温度異常検出手段及び前記第１の温度異常時制御手段が，それぞれ次の（９）及び（１０）に示される処理を実行することが考えられる。
（９）前記第１の温度異常検出手段が，前記映像表示手段に含まれる液晶パネル及びその液晶パネルを照明する照明手段の一方又は両方の温度異常を検出する。
（１０）前記第１の温度異常時制御手段が，前記照明手段に対する通電を停止又は抑制する。
また，この場合，前記第１の温度異常検出手段及び前記異常通知手段が，それぞれ次の（１１）及び（１２）に示される処理を実行することが考えられる。なお，この例は，前記第１の温度異常時制御手段が，前記照明手段に対する通電を抑制する（供給電力を減少させる）例である。
（１１）前記第１の温度異常時制御手段が，前記第１の温度異常検出手段により温度異常が検出された場合に，前記照明手段が備える複数の光源の中から一部の光源を順次選択して該一部の光源に対する通電を行うとともに残りの光源に対する通電を停止する。
（１２）前記異常通知手段が，前記照明手段における通電中の前記一部の光源により照明される前記液晶パネルの一部の領域に通知情報を表示させる。
これにより，前記照明手段において，供給電力が抑制されるとともに通電される光源が順次切り替わるため，前記照明手段及び前記液晶パネルは，温度が低下して熱による故障が生じない。また，前記照明手段及び前記液晶パネルが，異常の通知に有効活用されるので，利用者にわかりやすい通知が可能となる。
【０００８】
また，本発明に係るテレビジョン受像機が，さらに次の（１３）〜（１５）に示される各構成要素を備えることが考えられる。
（１３）前記放送コンテンツの音声信号を増幅してスピーカに供給する音量調節手段。
（１４）前記音量調節手段の温度異常を検出する第２の温度異常検出手段。
（１５）前記音量調節手段を通じた音声の出力中に前記第２の温度異常検出手段により温度異常が検出された場合に，前記音量調節手段に対する通電を停止するとともに，前記録画手段に対し映像を表示中の前記放送コンテンツの録画処理を開始させる第２の温度異常時制御手段。
テレビジョン受像機において，前記音量調節手段（音量調節用のアンプ）は，前記映像表示手段と同様に高温になりがちな部品である。従って，上記（１３）〜（１５）に示される構成も，熱による前記音量調節手段の故障と，放送コンテンツの視聴機会の損失との回避に有効である。
【発明の効果】
【０００９】
本発明に係るテレビジョン受像機は，録画・再生機能を備えたテレビジョン受像機において，放送コンテンツの出力中に映像表示や音声出力に関する部品の温度異常が検出された場合でも，熱による部品の故障と，放送コンテンツの視聴機会の損失とを回避できる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘの概略構成を表すブロック図，図２はテレビジョン受像機Ｘにおける温度異常時の制御手順を表すフローチャート，図３はテレビジョン受像機Ｘにおける温度異常通知画面の一例を表す図。
【００１１】
まず，図１に示されるブロック図を参照しつつ，本発明の実施形態に係るテレビジョン受像機Ｘの構成について説明する。
図１に示すように，テレビジョン受像機Ｘは，液晶テレビジョン受像機であり，複数のチューナ１，外部信号入力部２，復調・分離回路３，映像復号回路１１，映像選択回路１２，映像処理回路１３，液晶ドライバ１４，液晶パネル１５，調光回路１６，バックライト１７，通知ランプ１８，音声復号回路２１，音声選択回路２２，音声処理回路２３，アンプ２４，スピーカ２５，制御回路４，通電切替回路５，リモコン受光部６，リモコン７，録画・再生回路８，ディスクドライブ９及び温度センサ１０ａ，１０ｂ等を備えている。
【００１２】
前記チューナ１は，入力されたテレビジョン放送信号から放送中のコンテンツ（放送コンテンツ）の信号を抽出する電子部品である。より具体的には，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波，ＢＳ，ＣＳ等）ごとに個別に設けられる。
前記復調・分離回路３は，前記チューナ１から伝送されてきた搬送波周波数成分からトランスポートストリーム信号（Transport Stream信号：以下，ＴＳ信号）を復調する。さらに，前記復調・分離回路３は，抽出されたＴＳ信号から，視聴される放送番組に対応した映像信号及び音声信号，並びに付加データ等を分離して抽出する。さらに，前記復調・分離回路３は，前記制御回路４から受けたＰＩＤ（Packet IDentification)に応じて，視聴対象となる放送番組の映像信号及び音声信号を抽出し，各信号を前記映像復号回路１１及び前記音声復号回路２１それぞれに伝送する。
また，前記復調・分離回路３は，ＴＳ信号から，付加データであるＳＩ（Service Information）等を抽出して前記制御回路４に伝送する。このＳＩは，ＥＰＧ（電子番組ガイド）の情報（例えば，番組名，番組のジャンル，放送時間等を示す情報）が多重化されたデータである。
【００１３】
また，前記外部信号入力部２は，外部装置から映像信号及び音声信号を入力する信号入力インターフェースである。
また，前記ディスクドライブ９は，ＤＶＤ又はブルーレイディスク等の着脱自在のメモリディスクがセットされ，そのメモリディスクに対してデータの読み書きを行う装置である。その際，前記ディスクドライブ９は，セットされたメモリディスクをモータ（サーボモータ）により速度可変に回転させつつ，その回転速度に応じた速度でそのメモリディスクに記録されたデータにアクセスする。
【００１４】
また，前記録画・再生回路８は，前記ディスクドライブ９に対して前記メモリディスクの回転速度（モータ回転速度）の指令を出力する処理と，コンテンツの録画処理及びコンテンツの再生処理とを実行する回路である。
例えば，前記録画・再生回路８（録画手段の一例）は，前記映像選択回路１２から出力される映像信号及び前記音声選択回路２２から出力される音声信号に基づいて，コンテンツの録画処理を行う。その際，前記録画・再生回路８は，入力信号からコンテンツのデータ（録画データ）を生成し，そのデータを前記ディスクドライブ９を通じてメモリディスク（記憶手段の一例）に記録する。録画対称となるコンテンツは，前記チューナ１により得られる放送番組のコンテンツ（放送コンテンツ），又は前記外部信号入力部２を通じて入力されるコンテンツである。
さらに，前記録画・再生回路８は，前記ディスクドライブ９を通じてメモリディスクからコンテンツのデータ（録画データ）を読み出しつつ，そのコンテンツの再生信号を生成するコンテンツ再生処理を実行する。前記再生信号は，コンテンツの再生映像の信号（映像信号）及び再生音声の信号（音声信号）であり，再生信号における映像信号は前記映像選択回路１２へ，再生信号における音声信号は前記音声選択回路２２へ伝送される。
これにより，テレビジョン受像機Ｘにおいては，前記バックライト１７によって照明された前記液晶パネル１５（映像表示手段の一例）により，放送番組のコンテンツの映像信号に基づいてその放送番組のコンテンツの映像が表示される。
また，前記アンプ２４（音量調節手段の一例）により，放送番組等のコンテンツの音声信号が増幅され，増幅後の音声信号が前記スピーカ２５に供給される。
また，前記録画・再生回路８は，コンテンツの録画処理を行いつつ，その録画中のコンテンツのデータ（録画データ）に基づく再生処理，いわゆるタイムシフト再生処理も実行できる。
【００１５】
また，前記映像復号回路１１は，前記復調・分離回路３から伝送される映像信号を復号し，復号した映像信号を前記映像選択回路１２に伝送する。同様に，前記音声復号回路２１は，前記復調・分離回路３から伝送される音声信号を復号し，復号した音声信号を前記音声選択回路２２に伝送する。
前記映像選択回路１２は，前記制御回路４からの制御指令に従って，入力される複数のコンテンツの映像信号の中から，１つ又は複数の映像信号を選択して前記映像処理回路１３へ伝送する。また，前記映像選択回路１２は，入力される複数のコンテンツの映像信号の中から，１つの映像信号を選択して前記録画・再生回路８へ伝送する。この映像選択回路１２に入力される信号には，前記映像復号回路１１を通じて入力される放送番組のコンテンツ（放送コンテンツ）の映像信号と，前記外部信号入力部２を通じて入力される外部入力コンテンツの映像信号と，前記録画・再生回路８を通じて入力される再生コンテンツの映像信号とが含まれる。
【００１６】
また，前記映像処理回路１３は，前記制御回路４からの制御指令に従って，コンテンツの画像を前記液晶パネル１５に表示させるために前記液晶ドライバ１４に供給するフレーム画像信号を生成する。
例えば，前記映像処理回路１３は，前記制御回路４からの制御指令に従って，１つ又は複数のコンテンツの画像が全表示領域の中でレイアウトされた表示用のフレーム画像信号を生成する。即ち，前記映像選択回路１２は，１つのコンテンツの画像が全表示領域に渡って，或いは一部の表示領域のみに表示されるフレーム画像信号や，複数のコンテンツの画像が並べて配列されて表示されるフレーム画像信号等を生成する。
【００１７】
前記液晶ドライバ１４は，前記映像処理回路１３から所定周期で順次伝送されてくる前記フレーム画像信号に基づいて前記液晶パネル１５を制御し，そのフレーム画像信号に対応する１フレーム分（１コマ）の画像を前記液晶パネル１５に順次表示させる回路である。
また，前記液晶パネル１５は，前記液晶ドライバ１４による制御に応じて，前記フレーム画像信号に対応する映像を表示する映像表示手段の一例である。
また，前記バックライト１７は，前記液晶パネル１５の背面側に配列された複数の光源の光により，前記液晶パネル１５の表示領域を背面側から照明するものである。前記バックライト１７における複数の光源は，例えば，蛍光管やＬＥＤ等である。
また，前記調光回路１６は，前記制御回路４からの制御指令に従って，前記バックライト１７の光源に対する供給電力を調節することにより，前記バックライト１７の発光の明るさを調節する回路である。
【００１８】
前記音声復号回路２１は，前記復調・分離回路３から伝送されてくる音声信号を復号し，復号した音声信号を前記音声選択回路２２に伝送する。
前記音声選択回路２２は，前記制御回路４からの制御指令に従って，入力される複数の音声信号の中から１つの音声信号を選択して前記音声処理回路２３へ伝送する回路である。また，前記音声選択回路２２は，前記制御回路４からの制御指令に従って，入力される複数の音声信号の中から１つの音声信号を選択して前記録画・再生回路８へ伝送する処理も実行する。前記音声選択回路２２に入力される音声信号には，前記チューナ１により選局された放送番組のコンテンツの音声信号（前記音声復号回路２１を通じて入力される音声信号）と，前記外部信号入力部２を通じて入力される音声信号と，前記録画・再生回路８を通じて入力される再生コンテンツの音声信号とが含まれる。
前記音声処理回路２３は，前記制御回路４からの指示に従って，前記音声選択回路２２により選択された音声信号に対して各種信号処理を行うものである。例えば，前記スピーカ２５の特性に合わせたイコライズ処理や，サラウンド処理等を行う。
前記アンプ２４は，前記音声処理回路２３による処理後の音声信号を，前記制御回路４からの指示に従って増幅させるとともに，その増幅ゲインを調節する音量調節処理を行い，処理後の音声信号を前記スピーカ２５に出力するものである。前記アンプ２４は，例えばデジタルアンプである。
【００１９】
２つの前記温度センサ１０ａ，１０ｂは，それぞれサーミスタ等の温度検出手段である。その一方の第１の温度センサ１０ａは，前記バックライト１７における光源が実装された基板上に実装され，前記バックライト１７の温度を検出する。前記バックライト１７と前記液晶パネル１５とは近接しているため，前記第１の温度センサ１０ａは，実質的に，前記液晶パネル１５の温度を検出するセンサとしても機能する。
また，他方の第２の温度センサ１０ｂは，前記アンプ２４に近接して配置され，前記アンプ２４の温度を検出する。
前記バックライト１７及び前記アンプ２４は，他の部品に比べて発熱量が大きいため，テレビジョン受像機Ｘの使用状況（長時間の連続稼働や高温環境下での使用等）により，過剰高温（異常温度）になる恐れがある部品である。また，前記バックライト１７からの熱により，前記液晶パネル１５も過剰高温（温度異常）になる恐れがある。前記第１の温度センサ１０ａ及び前記第２の温度センサ１０ｂは，高温になりがちな前記バックライト１７，前記液晶パネル１５及び前記アンプ２４の温度異常を検出するために用いられるセンサである。
【００２０】
前記リモコン受光部６は，当該テレビジョン受像機Ｘの操作用のリモコン７（リモート操作器）から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
前記通電切替回路５は，前記制御回路４からの制御指令に従って，テレビジョン受像機Ｘが備える複数の部品ブロックそれぞれに対して個別に通電するか否かを切り替える回路である。例えば，前記通電切替回路５は，前記調光回路１６に対する通電を行うか否か，及び前記アンプ２４に対する通電を行うか否かを個別に切り替え可能である。
また，前記通知ランプ１８は，テレビジョン受像機Ｘの状態を通知するＬＥＤ等の発光部であり，前記液晶パネル１５の周囲の枠部材の一部に配置されている。例えば，テレビジョン受像機Ｘが正常な待機状態（前記リモコン７に対する電源ＯＮ操作に応じて起動を開始する前の状態）であるときは，前記通知ランプ１８が低輝度での発光を保持する状態となる。また，テレビジョン受像機Ｘが正常な稼動状態（電源ＯＮ状態）であるときは，前記通知ランプ１８が高輝度での発光を保持する状態となる。また，テレビジョン受像機Ｘが異常な状態（例えば，温度異常の状態）であるときは，前記通知ランプ１８が点滅状態となる。前記通知ランプ１８の点灯の状態は，前記制御回路４により制御される。
【００２１】
前記制御回路４は，演算手段であるＭＰＵ４ａ，記憶手段であるＲＯＭ４ｂ（ＥＰＲＯＭ）及びＥＥＰＲＯＭ４ｃを備え，前記ＭＰＵ４ａが，制御プログラムを実行することによって当該テレビジョン受像機Ｘ全体を制御する。
前記ＲＯＭ４ｂには，前記ＭＰＵ４ａによって実行される制御プログラムが予め格納されている。また，前記ＥＥＰＲＯＭ４ｃには，前記ＭＰＵ４ａが実行する処理において読み書き（参照又は書き込み）される各種データが記憶される。
なお，以降の説明において，前記制御回路４が実行する処理は，前記ＭＰＵ４ａが前記ＲＯＭ４ｂに記憶された制御プログラムを実行することによって実現される。
例えば，前記制御回路４は，前記リモコン７及び前記リモコン受光部６を通じてチャンネル選局や音量調節の情報を取得し，その取得情報の内容に応じて前記チューナ１に対する選局指示や前記アンプ２４に対する音量調節指示を出力する。
また，後述するように，前記制御回路４は，２つの前記温度センサ１０ａ，１０ｂの検出温度に基づいて温度異常を検出し，温度異常時の制御を実行する。
【００２２】
また，前記制御回路４は，前記復調・分離回路３により抽出されたＳＩに基づいて，現在放送中のコンテンツ（番組）及びこれから放送予定のコンテンツの内容に関する情報であるＥＰＧ情報（電子番組ガイド情報）を取得する。そのＥＰＧ情報は，前記ＥＥＰＲＯＭ４ｃに記録される。
前記ＥＰＧ情報には，放送番組のコンテンツのタイトル（番組名），放送媒体の種類（地上波，ＢＳ，ＣＳ等）及び放送チャンネル，放送開始日時及び放送終了日時，コンテンツのジャンル（ニュース，ワイドショー等），出演者等の情報が含まれている。
そして，前記録画・再生回路８は，放送番組のコンテンツの録画処理の際に，録画対象のコンテンツに関する前記ＥＰＧ情報（タイトル，ジャンル等）を，前記制御回路４から取得して録画データ（コンテンツのデータ）とともに前記メモリディスクに記録する。
また，前記録画・再生回路８は，コンテンツの再生処理の際に，再生対象の録画データ（コンテンツのデータ）とともに前記メモリディスクに記録されている前記ＥＰＧ情報を読み出し，これを前記制御回路４に伝送する。
【００２３】
次に，図２に示されるフローチャートを参照しつつ，前記制御回路４による温度異常時の制御の手順の一例について説明する。図２に示される処理は，前記リモコン７において電源ＯＮの操作がなされたことに応じて，テレビジョン受像機Ｘが放送番組のコンテンツを出力（映像の表示及び音声出力）しているときに実行される。なお，以下に示されるＳ１，Ｓ２，…は，処理手順（ステップ）の識別符号を表す。
【００２４】
＜ステップＳ１〜Ｓ３＞
まず，前記制御回路４は，コンテンツの出力中の状態であるか否か，即ち，コンテンツの映像を前記液晶ドライバ１４及び前記液晶パネル１５を通じて表示中であり，そのコンテンツの音声を前記アンプ２４及び前記スピーカ２５を通じて出力中である状態でるか否かを判別し（Ｓ１），その判別結果に応じて処理を切り替える。なお，このステップＳ１で出力の判別が行われるコンテンツには，前記チューナ１により選局されたチャンネルの放送番組のコンテンツ（放送コンテンツ）及び前記外部信号入力部２を通じて入力される外部入力コンテンツが含まれる。
コンテンツの出力中ではない場合，前記制御回路４は，前記第１の温度センサ１０ａの検出温度に基づいて表示部温度異常の有無を検出し（Ｓ２），さらに，前記第２の温度センサ１０ｂの検出温度に基づいてアンプ温度異常の有無を検出する（Ｓ３）。例えば，前記制御回路４は，各温度センサの検出温度が，温度センサごとに予め定められた上限温度を超えた場合や，温度センサごとに予め定められた設定温度を超える状態が所定時間以上継続した場合等に温度異常であると判別する。
そして，前記制御回路４は，前記第１の温度センサ１０ａ及び前記第２の温度センサ１０ｂのいずれの検出温度についても温度異常が検出されない場合，処理を前述したステップＳ１へ戻す。
【００２５】
＜ステップＳ４，Ｓ５＞
また，コンテンツの出力中ではないときに前記表示部温度異常又は前記アンプ温度異常が検出された場合，前記制御回路４は，温度異常が発生した旨を前記通知ランプ１８を通じて通知する（Ｓ４）。例えば，前記制御回路４は，前記通知ランプ１８を点滅させることにより温度異常の発生を通知する。
さらに，前記制御回路４は，前記通電切替回路５を制御することにより，当該テレビジョン受像機Ｘを待機状態（前記リモコン７に対する電源ＯＮ操作に応じて起動を開始する前の状態）へ移行させ（Ｓ５），温度異常時の処理を終了させる。これにより，利用者は，前記通知ランプ１８の点灯状態により，温度異常の発生によってテレビジョン受像機Ｘが前記待機状態に移行したことを把握できる。
【００２６】
＜ステップＳ６，Ｓ７＞
一方，コンテンツの出力中である場合，前記制御回路４は，ステップＳ２，Ｓ３と同様に，前記第１の温度センサ１０ａの検出温度に基づいて表示部温度異常の有無を検出し（Ｓ６），さらに，前記第２の温度センサ１０ｂの検出温度に基づいてアンプ温度異常の有無を検出する（Ｓ７）。
そして，前記制御回路４は，前記第１の温度センサ１０ａ及び前記第２の温度センサ１０ｂのいずれの検出温度についても温度異常が検出されない場合，処理を前述したステップＳ１へ戻す。
なお，前記第１の温度センサ１０ａ及びステップＳ６の処理を行う前記制御回路４が，映像表示手段（前記液晶パネル１５及び前記バックライト１７の両方）の温度異常を検出する第１の温度異常検出手段の一例である。ここで，前記第１の温度センサ１０ａが，前記液晶パネル１５及び前記バックライト１７のうちの一方のみ温度を検出し，前記制御回路４が，その一方の温度異常を検出することも考えられる。
また，前記第２の温度センサ１０ｂ及びステップＳ７の処理を行う前記制御回路４が，音量調節手段（前記アンプ２４）の温度異常を検出する第２の温度異常検出手段の一例である。
【００２７】
＜ステップＳ８＞
また，録画処理中に前記表示部温度異常又は前記アンプ温度異常が検出された場合，前記制御回路４は，前記通電切替回路５を制御することにより，温度異常が発生した部品に対する通電を停止する（Ｓ８）。
例えば，前記表示部温度異常が検出された場合，前記制御回路４は，前記調光回路１６に対する通電を停止することにより，映像表示部における熱源である前記バックライト１７（映像表示手段の一部）に対する通電を停止する（第１の温度異常時制御手段の一例）。このとき，併せて前記液晶ドライバ１４に対する通電を停止することにより，前記液晶パネル１５に対する通電も停止することが考えられる。
また，前記アンプ温度異常が検出された場合，前記制御回路４は，前記アンプ２４に対する通電を停止する（第２の温度異常時制御手段の一例）。
なお，前記制御回路４が，前記調光回路１６に対する前記バックライト１７の出力輝度の指定値をゼロにすることによっても，前記バックライト１７に対する通電を停止することができる。
また，録画処理中に前記表示部温度異常又は前記アンプ温度異常が検出された場合に，前記バックライト１７及び前記アンプ２４の両方に対する通電を停止することも考えられる。
【００２８】
＜ステップＳ９＞
さらに，前記制御回路４は，前記表示部温度異常又は前記アンプ温度異常の検出に応じて，前記録画・再生回路８に録画指令を出力することにより，それまで出力中のコンテンツ（放送コンテンツ又は外部入力コンテンツ）の録画処理を開始させる（Ｓ９）。これにより，それまで出力中であったコンテンツの録画データが，前記ディスクドライブ９のメモリディスクに記録される。
なお，ステップＳ８，Ｓ９の処理を行う前記制御回路４が，前記バックライト１７に対する通電を停止するとともに，前記録画・再生回路８に対し映像を表示中の放送コンテンツの録画処理を開始させる第１の温度異常時制御手段の一例である。
【００２９】
＜ステップＳ１０＞
さらに，前記制御回路４は，ステップＳ８，Ｓ９の処理によって映像表示部（前記バックライト１７等）又は前記アンプ２４に対する通電の停止と，前記録画・再生回路８によるコンテンツの録画処理の開始とが行われた旨を，前記通知ランプ１８を通じて通知する（Ｓ１０：異常通知処理）。
例えば，前記制御回路４は，予め定められた周期で前記通知ランプ１８を点滅させることによりステップＳ９の通知を行う。この場合，コンテンツの出力中に温度異常が発生し，録画処理を開始させて通電制御が行われた場合におけるステップＳ１０の通知と，コンテンツの出力中ではないときに温度異常が発生した場合に実行される前記ステップＳ４の通知とを異なる内容にすることが考えられる。例えば，ステップＳ４とステップＳ１０とで，前記通知ランプ１８の点滅周期を異なる周期にすることや，点灯色を異なる色にすること等が考えられる。
また，前記表示部温度異常の発生時に，前記制御回路４が，前記ＲＯＭ４ｂに予め記憶された音声データを前記音声処理回路２３に出力することにより，前記表示部温度異常が発生した旨を通知する音声メッセージを前記スピーカ２５を通じて出力することも考えられる。
また，前記アンプ異常の発生時に，前記制御回路４が，前記ＲＯＭ４ｂに予め記憶された通知情報を前記映像処理回路１３に出力することにより，前記アンプ温度異常が発生した旨を通知するメッセージを前記液晶パネル１５に表示させることも考えられる。
【００３０】
＜ステップＳ１１，Ｓ１２＞
次に，前記制御回路４は，録画処理が終了するまでの間，発生した温度異常（前記表示部温度異常又は前記アンプ温度異常）が解消したか否かを検知する処理を随時実行する（Ｓ１１：温度異常解消検出処理）。
そして，温度異常の発生後，前記制御回路４は，録画中のコンテンツの入力の終了（放送コンテンツの放送終了や外部入力コンテンツの入力の終了）が検知されるまで録画処理を継続する。その後，前記録画・再生回路８による録画処理が終了したことを検知すると（Ｓ１２），前記制御回路４は，処理を前述したステップＳ５へ移行させる。これにより，当該テレビジョン受像機Ｘは，前記待機状態（前記リモコン７に対する電源ＯＮ操作に応じて起動を開始する前の状態）へ移行し，温度異常時の処理が終了する。
なお，録画中のコンテンツの入力の終了は，例えば，前記放送コンテンツについては，予め前記ＥＥＰＲＯＭ４ｃに記憶されたＥＰＧ（電子番組ガイド）情報における放送番組の終了予定時刻と不図示の計時回路により計時された現在時刻との比較により判別される。
【００３１】
＜ステップＳ１３，Ｓ１４＞
一方，ステップＳ９で開始した録画処理の実行中（録画中のコンテンツの入力が終了するまでの期間）に，発生した温度異常（前記表示部温度異常又は前記アンプ温度異常）の解消が検知されると，前記制御回路４は，前記通電切替回路５を制御することにより，温度異常の解消した部品（映像表示部における前記バックライト１７や前記アンプ２４）に対する通電を復帰（再開）させる（Ｓ１３）。
なお，このとき，前記制御回路４が，温度異常が解消した旨を前記通知ランプ１８を通じて通知することも考えられる。
例えば，前記制御回路４が，前記通知ランプ１８を，点滅状態から低輝度での発光を保持する状態へ切り替えること等が考えられる。これにより，利用者は，再び映像を鑑賞することが可能となったことを速やかに知ることができる。
続いて，前記制御回路４は，ステップＳ１３の処理と併せて，前記録画・再生回路８に対してタイムシフト再生指令を出力することにより，前記ディスクドライブ９のメモリディスクに記録中（録画中）のコンテンツの録画データに基づく再生処理（タイムシフト再生処理）を開始させる（Ｓ１４，第１の温度異常解消時制御）。このとき，前記録画・再生回路８によるコンテンツの録画処理は，そのコンテンツの入力の終了まで継続される。
これにより，温度異常が比較的短時間のうちに解消した場合に，ユーザは，その時点からすぐに特別な手間を要することなく，コンテンツ出力の中断前（温度異常の発生前）に視聴していたコンテンツをその中断部分から最後の部分まで引き続き視聴することができる。例えば，発生した温度異常の原因が，当該テレビジョン受像機Ｘに対する直射日光の照射や異物による換気口の閉塞等である場合，ユーザがその原因を排除して比較的短時間のうちに温度異常が解消したような場合に特に好適である。
【００３２】
＜ステップＳ１５，Ｓ１６＞
そして，前記制御回路４は，前記録画・再生回路８に対し，録画中のコンテンツの入力の終了（放送コンテンツの放送終了や外部入力コンテンツの入力の終了）まで録画処理を継続させ，さらに，録画データの最終部分までタイムシフト再生処理を継続させる（Ｓ１５）。
そして，録画処理及びタイムシフト再生処理の両方が終了すると，前記生魚回路４は，それまで録画していたコンテンツが放送コンテンツである場合には，引き続き同じチャンネルの放送コンテンツの出力（映像表示及び音声出力）を開始させ（Ｓ１６），その後，処理を前述したステップＳ１へ移行させる。
以上に示したテレビジョン受像機Ｘによれば，放送コンテンツや外部入力コンテンツの出力中（映像表示中）に，映像表示や音声出力に関する部品の温度異常が検出された場合でも，熱による部品の故障を回避できるとともに，放送コンテンツの視聴機会の損失を回避できる。
【００３３】
ところで，前記表示部温度異常が発生した場合に，前記通知ランプ１８を通じた異常の通知では，利用者にとって，異常の状況を直ちに把握するこが必ずしも容易でないことも考えられる。また，音声通知がなされても，利用者が，その通知を聞き逃すことが考えられる。かといって，音声通知を繰り返すことは，利用者に不快感を与えかねない。
そこで，前記表示部温度異常が発生した場合に，前記制御回路４が，前記調光回路１６を制御することにより，前記バックライト１７に対する通電を抑制（供給電力を下げる）し，前記液晶パネル１５を通じて異常の内容を表すメッセージを表示させることが考えられる。
【００３４】
例えば，前記制御回路４が，前述したステップＳ８，Ｓ１０において，以下に示すような異常通知処理を実行することが考えられる。なお，図３は，以下に示す異常通知処理がなされたときの前記液晶パネル１５の状態の一例を表す図である。
コンテンツ出力中に前記表示部温度異常が発生した場合に，前記制御回路４が，そのコンテンツの録画処理の開始とともに，前記バックライト１７における複数の光源（蛍光管やＬＥＤ）の中から一部の光源を順次選択し，選択した一部の光源に対する通電を行うとともに残りの光源に対する通電を停止する（Ｓ８）。前記バックライト１７に対する通電状態の切り替えは，前記調光回路１６を通じて行われる。
図３において，黒い領域が前記液晶パネル１５における照明がなされていない領域，即ち，前記バックライト１７において消灯された光源が配置された領域である。
また，図３において，メッセージｇ１が表示された帯状の流域が，前記液晶パネル１５における照明がなされている領域，即ち，前記バックライト１７において点灯された（通電中の）前記一部の光源が配置された領域である。
そして，前記制御回路４が，前記映像処理回路１３を制御することにより，前記照バックライト１７における通電中の前記一部の光源により照明される前記液晶パネル１５の一部の領域に，異常状態を説明するメッセージｇ１を表示させる（Ｓ１０）。従って，通電される前記一部の光源の位置の切り替わりに応じて，前記メッセージｇ１の表示位置も切り替わる。
これにより，前記バックライト１７において，供給電力が抑制され，さらに，通電される光源が順次切り替わるため，前記バックライト１７及び前記液晶パネル１５の温度が低下して熱による故障を回避できる。また，前記バックライト１７及び前記液晶パネル１５が，異常の通知に有効活用されるので，利用者にわかりやすい通知が可能となる。
【産業上の利用可能性】
【００３５】
本発明は，テレビジョン受像機に利用可能である。
【図面の簡単な説明】
【００３６】
【図１】本発明の実施形態に係るテレビジョン受像機Ｘの概略構成を表すブロック図。
【図２】テレビジョン受像機Ｘにおける温度異常時の制御手順を表すフローチャート。
【図３】テレビジョン受像機Ｘにおける温度異常通知画面の一例を表す図。
【符号の説明】
【００３７】
Ｘ    ：テレビジョン受像機
１    ：チューナ
２    ：外部信号入力部
３    ：復調・分離回路
４    ：制御回路
５    ：通電切替回路
６    ：リモコン受光部
７    ：リモコン
８    ：録画・再生回路
９    ：ディスクドライブ
１０ａ：第１温度センサ
１０ｂ：第２温度センサ
１１  ：映像復号回路
１２  ：映像選択回路
１３  ：映像処理回路
１４  ：液晶ドライバ
１５  ：液晶パネル
１６  ：調光回路
１７  ：バックライト
１８  ：通知ランプ
２１  ：音声復号回路
２２  ：音声選択回路
２３  ：音声処理回路
２４  ：アンプ
２５  ：スピーカ
Ｓ１，Ｓ２，…：ステップ（処理手順）
【図１】
2010088014.tif 000003
【図２】
2010088014.tif 000004
【図３】
2010088014.tif 000005